(57)【要約】  本発明は、別個の負荷（１２）に結合される給電部（１４）の出力パラメータ値（Ｖ）が調整される方法、負荷（１２）、及びディスプレイデバイス（１０）に関する。負荷（１２）は、給電部（１４）から少なくとも一つの当該パラメータ値（Ｖ）を要求する。給電部（１４）は、出力パラメータ値（Ｖ）を負荷（１２）にもたらす。負荷（１２）は、出力パラメータ値（Ｖ）に関する情報を受信すると共に制御信号（ＶＣ）をもたらすための給電部（１４）に接続される制御信号設定ユニット（１６）を有する。制御信号（ＶＣ）は、出力パラメータ値（Ｖ）に関する情報を含むと共に、出力パラメータ値（Ｖ）を調整するための給電部（１４）によって使用される。これにより、フィードバックループの制御信号設定ユニット（１６）部分がもたらされる。パラメータ値は好ましくは出力電圧であり、負荷はプラズマディスプレイパネルであり、ディスプレイデバイスはテレビジョンセットである。
2005513563.tif 000002
【特許請求の範囲】
【請求項１】
給電デバイスから少なくとも一つのあるパラメータ値を要求する別個の負荷デバイスに結合される前記給電デバイスの出力パラメータ値を調整する方法であって、
前記負荷デバイスから前記給電デバイスに制御信号をもたらすステップと、
前記もたらされた制御信号に依存して前記給電デバイスにおいて前記出力パラメータ値を調整するステップと、
前記調整された出力パラメータ値を前記負荷デバイスにもたらすステップと
を有し、
前記制御信号は前記出力パラメータ値に関する情報を含むので、フィードバックループが前記負荷デバイスと前記給電デバイスとの間にもたらされる方法。
【請求項２】
前記負荷デバイスによって要求される前記少なくとも一つのあるパラメータ値に対応する第三の基準値を得るステップと、
前記もたらされた出力パラメータ値を前記第三の基準値と比較するステップと、
前記比較に依存して前記制御信号をもたらすステップと
を更に含む請求項１に記載の方法。
【請求項３】
出力パラメータ値と前記第三の基準値との間の差を乗算するステップと、前記乗算された差を制御信号としてもたらすステップとを更に含む請求項２に記載の方法。
【請求項４】
前記負荷デバイスを、前記負荷デバイスが前記給電デバイスに結合される前に、基準給電デバイスに接続するステップと、
前記基準給電デバイスが、前記負荷デバイスによって要求される前記出力パラメータ値をもたらすまで、前記制御信号を調整するステップと、
他の給電デバイスが前記要求された出力パラメータ値をもたらしている間、前記制御信号の一つの値をサンプリングするステップと、
前記制御信号の前記サンプリングされた値を前記負荷デバイスにおける第二の基準値として記憶するステップと
を更に含む請求項２に記載の方法。
【請求項５】
前記給電デバイス及び前記負荷デバイスが初めてスイッチオンされるとき、前記第二の基準値を前記制御信号の初期値として使用するステップを更に含む請求項４に記載の方法。
【請求項６】
前記給電デバイスが前記要求された出力パラメータ値をもたらしている間、前記第二の基準値からの前記制御信号のずれをサンプリングするステップと、
前記制御信号の前記ずれを第一の基準値として記憶するステップと、
後続するスイッチオン動作の間に前記第一及び第二の基準値の合計値を前記制御信号の初期値として使用するステップと
を更に含む請求項４に記載の方法。
【請求項７】
スイッチオンした後、前記制御信号は、前記初期値が達せられるまで除々に適応され、それによって前記出力パラメータ値のオーバシュートが防止される請求項６に記載の方法。
【請求項８】
別個の給電デバイスから少なくとも一つのある出力パラメータ値を要求し、
制御信号設定ユニットはフィードバックループの一部となるように、前記給電デバイスの前記出力パラメータ値を調整することにおける使用のための制御信号をもたらすために、前記給電デバイスの制御ユニットに接続可能であると共に、前記給電デバイスによってもたらされる出力パラメータ値に関する情報を受信するように構成される制御信号設定ユニット
を有する負荷デバイス。
【請求項９】
前記制御信号設定ユニットが、前記制御信号をもたらすために、前記負荷デバイスに記憶されている基準値と前記もたらされた出力パラメータ値を比較するための比較ユニットを有する請求項８に記載の負荷デバイス。
【請求項１０】
前記比較ユニットが、前記出力パラメータ値に対応する信号をディジタル信号に変換するためのＡ／Ｄコンバータと、メモリに記憶されているディジタル基準値から前記ディジタル信号を減算するための減算ユニットと、このように得られた合計値を前記制御信号となるアナログ値に変換するためのＤ／Ａコンバータとを含む請求項９に記載の負荷デバイス。
【請求項１１】
前記負荷デバイスが、プラズマディスプレイパネルである請求項８に記載の負荷デバイス。
【請求項１２】
給電デバイスと、
前記給電デバイスに接続されると共に、前記給電デバイスから少なくとも一つのある出力パラメータ値を要求し、前記出力パラメータ値に関する情報を受信するように構成される制御信号設定ユニットを有すると共に、制御信号をもたらすために出力部を有する負荷デバイスと
を含むディスプレイデバイスであって、
前記給電デバイスが、
前記制御信号を受信するための前記制御信号設定ユニットの前記出力部に接続される入力部と、
出力パラメータ値を前記負荷デバイスに供給するための電力伝達ユニットと、
前記制御信号に依存して前記出力パラメータ値を調整するための制御ユニットと
を有するディスプレイデバイス。
【発明の詳細な説明】
【技術分野】
【０００１】
本発明は、電気的負荷に対する給電部（ｐｏｗｅｒ  ｓｕｐｐｌｙ）の分野に関する。
【背景技術】
【０００２】
近年、適切に機能させられるために自身にもたらされる電圧及び／又は電流に関する、より厳格な要求仕様を有する負荷デバイスの開発がなされてきた。このようなデバイスの一つはプラズマディスプレイパネル（ｐｌａｓｍａ  ｄｉｓｐｌａｙ  ｐａｎｅｌ）である。
【０００３】
プラズマディスプレイパネル（ＰＤＰ）は、ディスプレイにおいて使用されるアドレッシング電圧（ａｄｄｒｅｓｓｉｎｇ  ｖｏｌｔａｇｅ）及び維持電圧（ｓｕｓｔａｉｎ  ｖｏｌｔａｇｅ）のための給電デバイスからの正確な電圧レベルを必要とする。現状のシステムは二つの方法から構成される。第一の方法によればＰＤＰは、制御維持及びアドレッシング電圧のために使用される０Ｖと２Ｖとの間の範囲の二つの異なる基準電圧をもたらす。それから給電デバイスは、所定の式を介して当該基準電圧からもたらされる出力値をもたらさなければならない。他の方法は、必要とされる維持及びアドレッシング電圧がＰＤＰ上のスチィッカ（ｓｔｉｃｋｅｒ）上にプリントされることを提案している。当該値はそれから、それらの給電デバイスを校正するためにセットメーカによって使用され得る。全ての場合において、ＰＤＰにもたらされる電圧は、ＰＤＰの全寿命の間、ある限定された誤りマージン（ｅｒｒｏｒ  ｍａｒｇｉｎ）の範囲内に維持されることが必要とされる。
【０００４】
今日のいくつかの給電デバイスにおいて、多くの場合、これらの特定された誤りマージンに応えることは困難となり得る。更に、スティッカの使用は、例えばスティッカ値を使用する給電デバイスの校正が全てのモニタの組立前になされ得ないので、組立後になされなければならないという問題をもたらす。例えば維持及びアドレッシング電圧はもはや達せられ得ないのでそれらは測定され得ないため、モニタが組み立てられた後、多くの場合、給電デバイスを校正することは不可能である。
【０００５】
日本国特許第ＪＰ  ０８−３１４４０７号公報は、第一の態様によれば、プラズマディスプレイパネルとなる、負荷と給電デバイスとの間のフィードバックループを開示している。当該デバイスにおいて、もたらされた電圧は、プラズマディスプレイから給電デバイスにフィードバックされる。しかしながら、もとに戻される電圧は状態電圧（ｓｔａｔｕｓ  ｖｏｌｔａｇｅ）である。当該電圧は、ある遅延の後、電力の伝達の開始の信号を送出する。遅延は、給電デバイスにおける遅延回路か、又は負荷における遅延回路の何れかによってもたらされる。前記デバイスは、電源（ｐｏｗｅｒ  ｓｏｕｒｃｅ）がターンオンされるときの動作不良を阻止するためにもたらされる。第二の態様によれば、電力をターンオフするときの状態電圧の使用が開示されている。しかしながら、当該態様によれば、負荷と給電部との間に設けられるフィードバックループがもたらされていない。状態電圧はこの場合負荷がターンオフされるときの動作不良の阻止のために使用される。供給電圧（ｓｕｐｐｌｙ  ｖｏｌｔａｇｅ）の誤りマージンを緩和する記載がない。
【０００６】
従って負荷に対する給電部によってもたらされる電圧における厳格な誤りマージンの問題を排除する、解決のための必要性が存在する。
【発明の開示】
【発明が解決しようとする課題】
【０００７】
本発明の目的は、負荷に対して電圧がもたらされるときに厳格な誤りマージンの前記問題は低減される方法を提供することにある。
【０００８】
第一の態様による当該目的は、給電デバイスから少なくとも一つのあるパラメータ値を要求する別個の負荷デバイスに結合される前記給電デバイスの出力パラメータ値を調整する方法であって、前記負荷デバイスから前記給電デバイスに制御信号をもたらすステップと、前記もたらされた制御信号に依存して前記給電デバイスにおいて前記出力パラメータ値を調整するステップと、前記調整された出力パラメータ値を前記負荷デバイスにもたらすステップとを有する方法によって実現される。制御信号は出力パラメータ値に関する情報を含んでいるので、フィードバックループが負荷デバイスと給電デバイスとの間に設けられる。
【０００９】
本発明の他の目的は、誤りマージンに関するある要求仕様を有する負荷デバイスに対して電圧がもたらされるときに厳格な誤りマージンの前記問題は排除される負荷デバイスを提供することにある。
【００１０】
第二の態様による当該目的は、別個の給電デバイスから出力される少なくとも一つのあるパラメータ値を要求し、制御信号設定ユニットはフィードバックループの一部となるように、前記給電デバイスの前記出力パラメータ値を調整することにおける使用のための制御信号をもたらすために、前記給電デバイスの制御入力部に接続可能であると共に、前記給電デバイスによってもたらされる出力パラメータ値に関する情報を受信するように構成される制御信号設定ユニットを有する負荷デバイスによって実現される。
【００１１】
本発明の更なる他の目的は、誤りマージンに関するある要求仕様を有する負荷デバイスに対して電圧がもたらされるときに厳格な誤りマージンの前記問題は排除される負荷デバイスを含むディスプレイデバイスを提供することにある。
【課題を解決するための手段】
【００１２】
当該目的は、第三の態様によれば、給電デバイスに接続される負荷デバイスを含むディスプレイデバイスによって達成される。負荷デバイスは、別個の給電デバイスから出力される少なくとも一つのあるパラメータ値を必要とし、給電デバイスによってもたらされる出力パラメータ値に関する情報を受信するように構成されると共に制御信号をもたらすための出力部を有する制御信号設定ユニット（ｃｏｎｔｒｏｌ  ｓｉｇｎａｌ  ｓｅｔｔｉｎｇ  ｕｎｉｔ）を有する。給電デバイスは、制御信号を受信するための制御信号設定ユニットの出力部に接続される入力部と、負荷デバイスに出力パラメータ値を供給するための電力伝達ユニット（ｐｏｗｅｒ  ｄｅｌｉｖｅｒｙ  ｕｎｉｔ）と、制御信号に依存して出力パラメータ値を調整するための制御ユニットとを有する。負荷デバイスと給電デバイスとは別個の要素（ｅｎｔｉｔｙ）であり、制御信号設定ユニットは二つの要素の間のフィードバックループの一部となる。
【００１３】
上記態様による発明は、以下の利点を有している。当該発明は、より厳格でない誤りマージンのためにより安価な給電デバイスの提供を可能にする。他の利点は、より正確な出力電圧がもたらされ、これにより、例えば負荷はプラズマディスプレイパネル（ＰＤＰ）であるとき、ＰＤＰが設けられている製品の寿命の間、ＰＤＰに対する最適な画質がもたらされることにある。更に、給電デバイスの出力電圧のアライメントを省略することが可能となり、このことにより製造費が低減される。
【００１４】
従属請求項は有利な実施例を規定する。
【００１５】
請求項５及び６において規定される手段は、給電デバイス及び負荷が組み立てられる工場において、より少ない、又はより簡単な調整しか必要とされないという利点を有している。
【００１６】
本発明の背景となる基本的な概念は、給電デバイスからもたらされるパラメータ値に関する情報が含まれる、負荷デバイスと給電デバイスとの間の閉制御ループ（ｃｌｏｓｅｄ  ｃｏｎｔｒｏｌ  ｌｏｏｐ）を提供することにある。
【００１７】
本発明のこれら及び他の態様は、以下に記載の実施例に関して明らかであり、以下に記載の実施例に関して説明されるであろう。
【発明を実施するための最良の形態】
【００１８】
本発明はこの場合添付図面に関連してより詳細に説明されるであろう。
【００１９】
本発明は概して、給電部に関する特別な要求仕様を有する負荷デバイスに関する。本発明は、給電デバイスを調整する方法と共に、このような負荷デバイスを有するディスプレイデバイスにも関する。
【００２０】
図１において従来技術によるディスプレイデバイスのブロック図が示されている。本発明の好ましい実施例によるディスプレイデバイスは、一方が、給電デバイス１４の形態の他方の要素に接続されると共に当該要素から分離されるＰＤＰ（プラズマディスプレイパネル（ｐｌａｓｍａ  ｄｉｓｐｌａｙ  ｐａｎｅｌ））スクリーン１２の形態の負荷となる、二つの別個の要素を有するテレビジョンセット１０である。給電デバイス１４は、ＰＤＰスクリーン１２に対する供給のための電力変換を行うために、知られている態様で電力ネットワークに接続され得る。プラズマディスプレイパネル１２は、スクリーンを通電させるために使用される、アドレッシング電圧ＶＡ及び維持電圧ＶＳのような正確な電圧を必要とする。給電デバイス１４は、二つのラインを介してこれらの電圧を供給する。これらの電圧はＰＤＰに対して非常に精度よく調整されなければならない。すなわちこれらの電圧は、ＰＤＰの寿命に渡って維持されると共に得られることが困難となる小さな誤りマージンを有するべきである。正確な電圧を受けるために、ＰＤＰユニット１２は、供給電圧ＶＳとＶＡとの両方に対する制御信号ＶＣＳとＶＣＡとをそれぞれ給電デバイス１４に送信する。そのために、本実施例において、維持電圧ＶＳ及びアドレッシング電圧ＶＡとなる出力電圧がプリセットされる。これらの制御信号ＶＣＳ及びＶＣＡはこれまで、ＰＤＰユニット１２にもたらされる実際の供給電圧ＶＳ及びＶＡからのいかなる影響も及ぼされないで、すなわち開ループシステムにおいてＰＤＰによってプリセット値としてもたらされてきた。給電デバイス（１４）は、例えば
【００２１】
ＶＳ＝７０Ｖ＋１０＊ＶＣＳ
ＶＡ＝３０Ｖ＋２０＊ＶＣＡ
のような式による制御信号ＶＣＳ及びＶＣＡに依存して電圧ＶＳ及びＶＡを供給しなければならない。
【００２２】
従って、例えばテレビジョン製造施設において給電デバイス１４及びＰＤＰユニット１２を有する製品が組み立てられるとき、デバイス１４によってもたらされる出力電圧ＶＳ及びＶＡは、制御信号ＶＣＳ及びＶＣＡの電圧を測定すると共にその測定電圧を上記対応する式に代入することによって得られる値に正確に調整されなければならない。
【００２３】
図２は、本発明を理解するのに適切な、給電デバイス及びＰＤＰの部分のブロック概略図を示している。簡略化のため、Ｖで示される一つの出力電圧のみが示されている。電圧ＶＳ及びＶＡは同じ態様でもたらされる（それによって前記式は上記と異なり得る）ので、この場合一つのみしか記載される必要がない。図２において、実際の電力変換を行う、電力伝達ユニット２２を有する給電デバイス１４が示されている。この電力伝達ユニット２２に制御ユニット２４が接続される。電力伝達ユニット２２は、ＰＤＰ１２に接続され、出力電圧Ｖをもたらす。当該出力電圧はこの場合出力パラメータ値として使用されるが、他のパラメータ値が使用され得る。このことは本発明の後述の実施例に関連して記載されるであろう。ＰＤＰ１２は、第一の実施例において給電デバイス１４から出力電圧レベルＶを直接受ける入力部を有する制御信号設定ユニット１６を含んでいる。制御信号設定ユニット１６は、第一のメモリ１８、第二のメモリ２６、及び第三のメモリ２７に接続されている。これらの使用は更に詳細に後述されるであろう。制御信号設定ユニット１６は、制御信号ＶＣを供給するための給電デバイスの制御ユニット２４にも接続される。
【００２４】
開ループシステムにおいて、給電デバイスは、（維持電圧ＶＳを例とすると）式
Ｖ＝７０Ｖｏｌｔ＋１０＊ＶＣ＋Ｅ
による出力電圧Ｖをもたらさなければならない。
ここでＶＣは、ＰＤＰ製造者によってもたらされると共に通常ＰＤＰが必要とする最適出力電圧Ｖに対応する基準値を表す制御信号である。式において上記Ｅは、実際の用途において例えば−２乃至２ボルトの範囲内の、ほぼ最大許容誤りマージンとなる。給電デバイスは、含まれるコンポーネントにおける変化によるある程度のドリフトオーバタイム（ｄｒｉｆｔ  ｏｖｅｒ  ｔｉｍｅ）及びある程度の初期誤りを常に有するため、この誤りマージンＥは従来、給電デバイスに適合させることが困難であった。更に、周囲の温度及び他の動作状態が出力電圧Ｖに影響を及ぼし得る。
【００２５】
本発明は、なお上記式を使用して給電デバイスにもたらされる制御信号ＶＣが、もたらされた出力電圧Ｖについての情報を含むようにフィードバックループを設けることによってこの問題を本質的に解決している。
【００２６】
ある程度更に詳細には、ＰＤＰ１２は、給電デバイスによって生成される電圧Ｖを測定し、制御電圧ＶＣを変化させることによって当該電圧を最適出力電圧に調整する制御ユニット１６を有する。この場合、例えばテレビジョン工場における給電出力電圧部の調整の要求仕様はあまり厳格とはなり得ず、又は調整が回避され得ることさえある。制御ユニット１６はアナログ又はディジタル実装部（ｉｍｐｌｅｍｅｎｔａｔｉｏｎ）を有し得る。
【００２７】
ディスプレイ実装部の場合、ＰＤＰの製造の間、例えば、後に自身に接続される実際の給電デバイスと同等である基準給電デバイスを使用することによってアライメントが行われる。当該アライメントの間、制御信号ＶＣは、基準給電部が、調整されているＰＤＰのための最適値に対応する出力電圧Ｖをもたらすように調整される。最適出力電圧Ｖをもたらす制御信号ＶＣの値は第二のメモリ２６に記憶される。更に、最適出力電圧Ｖの値（又はこの最適出力電圧Ｖからもたらされる値）は第三のメモリ２７に記憶される。
【００２８】
ＰＤＰの、給電デバイス１４との初期接続時に、例えばテレビジョンセットが組み立てられる工場において、第二のメモリ２６にこのように記憶された値は、給電デバイス１４に対する制御信号ＶＣのための出発値（ｓｔａｒｔｉｎｇ  ｖａｌｕｅ）として使用される。このように、給電デバイス１４は、出発値からほぼ先に、最適出力電圧ＶをＰＤＰにもたらす。次に制御信号設定ユニット１６は、制御信号ＶＣをサンプリングする。フィードバックループの調整の速度を決定する時定数（ｔｉｍｅ  ｃｏｎｓｔａｎｔ）が、通常の動作における値よりも小さい値に設定され得る。これによって、より速い応答が可能となるので、フィードバックループはより速く出力電圧Ｖ及び対応する制御信号ＶＣの最終的な値に達する。フィードバックループは、出力電圧Ｖが第三のメモリ２７に記憶される最適出力電圧の値にほぼ一致するまで出力電圧Ｖを変化させるであろう。フィードバックループの利得（ｇａｉｎ）が十分に高い場合、給電デバイス１４の更なるアライメントは必要とされない。しかしながら、ループ利得が、出力電圧Ｖは許容可能な誤りマージンの範囲内の全ての環境下で維持されることを保証するのに十分に高くない場合、又は給電デバイス１４が自身の動作範囲から外れ得る場合、アライメントが行われなければならない。複数のサンプルに渡る平滑化によりもたらされるか、又は複数のサンプルに渡る平滑化によらずにもたらされる、結果の制御信号ＶＣの最終値は第一のメモリ１８に記憶される。代わりに、第二のメモリ２６に記憶される値からの最終値のずれ（ｄｅｖｉａｔｉｏｎ）のみは第一のメモリ１８に記憶され得る。テレビジョンがその後ターンオンされると、第一のメモリ１８における値は、制御信号ＶＣに対する出発値として使用される。通常動作の間、制御信号ＶＣは定期的にモニタされ、（第三のメモリ２７に記憶される最適値に対応する出力電圧Ｖをもたらす）最も新しくモニタされた値の平均値（ａｖｅｒａｇｅ  ｖａｌｕｅ）が第一のメモリ１８に記憶される。従って、次の時点でテレビジョンがスイッチオンされると、給電デバイス１４はすぐに正確な出力電圧Ｖを供給するであろう。
【００２９】
また、本発明による方法のフローチャートを示す図３によれば、前記方法は更に記載されるであろう。前記フローチャートは、通常動作の間、従って例えばテレビジョンセットの組立及びアライメント後に、出力電圧Ｖを調整する方法を示している。制御信号設定ユニット１６は、メモリ１８から、記憶された基準値又は制御値を取り出している。制御信号設定ユニット１６は、出力電圧Ｖに等しい値、又は出力電圧Ｖからもたらされる値も受信する。制御信号設定ユニット１６はそれから、ステップ２８において、当該受信された値を第三のメモリ２７における値と比較する。前記比較の結果は、ステップ２９において、給電デバイスの制御ユニット２４に対する制御信号ＶＣを増大又は減少させるために使用される。従って制御信号ＶＣは、出力電圧Ｖについての情報を含んでいる。給電デバイスの制御ユニット２４はそれから、ステップ３０において、制御信号ＶＣに基づいて電力伝達ユニット２２を調整する。これは上記等式を実現することによってなされる。制御設定ユニット１６は、電力伝達ユニット２２が所望の出力電圧ＶをもたらすまでＶＣを調整するので、出力電圧Ｖに関する誤りはこの場合低減される。電力伝達ユニット２２はそれから、ステップ３２において、調整された出力電圧Ｖをもたらし、制御設定ユニット１６はメモリ１８における制御値を制御信号ＶＣの結果値で上書きする。使用される式及びこのフィードバックのために、電力伝達ユニットに対して許容される誤りマージンは従来と比べて更にずっと緩和されている。フィードバックがもたらされるときに残る誤りは、使用されたコンポーネントの精度に依存して、無視され得る量にまで低減され得る。
【００３０】
更に制御信号設定ユニット１６は制御信号ＶＣを、出発値から、第一のメモリ１８に記憶される値に徐々に変化させ得る。このように（オーバシュートのような）所望されない出力電圧Ｖの過渡が防止され得る。
【００３１】
本発明の複数の異なる実施例がこの場合記載されるであろう。まず図４によれば、出力電圧制御に対するアナログ的な解決策が示されている。
【００３２】
図４は、第三のメモリ２７に接続されている本発明による制御信号設定ユニットのアナログ変形例の回路図を示している。前記ユニットは、一方の端子（ｔｅｒｍｉｎａｌ）において給電デバイス１４から出力電圧Ｖを受信すると共に、自身の他方の端子で四方向接合部（ｆｏｕｒ  ｗａｙ  ｊｕｎｃｔｉｏｎ）に接続される第一の抵抗３４を含んでいる。第二の抵抗３６は四方向接合部とグランドとの間に接続される。演算増幅器４２の負入力部は、第三の抵抗３８の第一の端子と同様、四方向接合部にも接続される。第三の抵抗３８の第二の端子は、演算増幅器４２の出力部に接続される。第三のメモリ２７はＤ／Ａコンバータ４０を介して演算増幅器の正入力部に接続される。演算増幅器４２は、本発明において使用される比較デバイスの多くの可能なバージョンのうちの一つである。最後に演算増幅器４２の出力部は、給電デバイス１４に供給される制御信号ＶＣを供給する。
【００３３】
図４の回路は以下の態様で動作する。出力電圧Ｖは、第一の抵抗３４と第二の抵抗３６とによって分割されると共に演算増幅器４２によって第三のメモリ２７からの値と比較される。前記値はこの場合、Ｄ／Ａコンバータ４０によってアナログ基準電圧に変換されると共に演算増幅器４２に入力されるディジタル値である。ここでも維持電圧ＶＳに対する式を例とすると、（直流に対する）当該システムのループ利得は、１０倍された第一の抵抗値を第三の抵抗値で除した値に等しくなるであろう。従って第一及び第三の抵抗３４及び３８が同じ値をもつように選択される場合、１０のループ利得がもたらされるであろう。それ故に出力電圧Ｖにおけるいかなる誤りＥも、フィーバックのために１１のファクタによって減衰させられるであろう。これにより、誤りマージンの要求仕様がかなり緩和される。当然なことに、他の抵抗値を選択することによって、ループ利得はいかなる他の値もとり得る。
【００３４】
図５は、図２の制御信号設定ユニットの第一のディジタルの実施例を示している。これも本発明の好ましい実施例である。ここに、一つの端子において給電デバイス１４から出力電圧Ｖを受けると共に、今度はグランドに接続されている第二の抵抗４６に直列に接続される第一の抵抗４４がもたらされている。第一の抵抗４４と第二の抵抗４６との間の接続ポイントは、今度は比較ユニット５０の第一の入力部に接続されているＡ／Ｄコンバータ４８に接続されている。第三のメモリ２７は、出力部がバッファ増幅器５４の正入力部に接続されているＤ／Ａコンバータ５２の入力部に接続される出力部を有する比較ユニット５０の第二の入力部に接続されている。バッファ増幅器５４の出力部は、給電デバイス１４の制御ユニット２４の入力部及び自身の負入力部に接続されている。バッファ増幅器５４の出力部は制御信号ＶＣとなる。制御信号設定ユニット１６において、出力電圧Ｖは二つの抵抗４４及び４６によって分割される。前記分割値はそれからＡ／Ｄコンバータ４８においてディジタル値に変換される。前記ディジタル値は、比較ユニット５０において（負荷１２に対する最適出力電圧Ｖに対応する）最適値と比較される。前記最適値は、負荷１２が製造されるとき第三のメモリ２７において第三の基準値として記憶される。前記比較からもたらされる差は、Ｄ／Ａコンバータ５２においてＤ／Ａ変換されると共にバッファ増幅器５４を介して制御ユニット２４に供給される前に、比較ユニット５０に制御信号ＶＣを適応させるように使用される。このように当該実施例は、図４のアナログ回路と同じ結果を実現する。Ｄ／Ａコンバータ５２が制御ユニット２４を直接駆動させ得る場合、バッファ増幅器５４は省略され得る。その場合、Ｄ／Ａコンバータの出力は、制御信号ＶＣを直接もたらす。更に、第二のメモリ２６は、最適出力電圧Ｖが基準給電デバイスによって供給されるときにもたらされる制御信号ＶＣの値を第二の基準値として記憶するために使用される。この第二の基準電圧は、負荷１２及び給電デバイス１４が初めてスイッチオンされるときに制御信号ＶＣに対する出発値として使用される。後続する動作の間に、制御信号ＶＣは定期的にサンプリングされ、第二の基準値からのずれは、メモリ１８において第一の基準値として記憶される。負荷１２及び給電デバイス１４の次のスイッチングオンにおいて、制御信号ＶＣに対する初期値は、第一及び第二の基準値の合計値（和（ｓｕｍ））となる。
【００３５】
図６は、図５における解決策とほぼ同様の、更なる他のディジタルの解決策を示している。この場合異なるコンポーネントは、実際同じことを実現させるため図５におけるコンポーネントと同じ参照符号を受けている。この場合たった一つの差は、第一の抵抗４４及び第二の抵抗４６がＰＤＰ１２から給電デバイス１４に移っていることにある。しかしながら当該解決策は、当該分割出力電圧レベルのための別個の接続部又はラインを必要とする。更に当該構成体において、第一の抵抗４４及び第二の抵抗４６の精度が、出力電圧Ｖの精度に影響を及ぼす。第一の抵抗４４及び第二の抵抗４６によって形成される抵抗分割器（ｒｅｓｉｓｔｉｖｅ  ｄｉｖｉｄｅｒ）の精度のなさの影響を最小化するために、オフセットが導入され得る。図６は、所望のオフセット電圧を加算器６２に供給するように調整され得るオフセットユニット６１を示している。加算器６２において、当該オフセット電圧は、第三の基準電圧に加えられる。給電デバイス１４とＰＤＰ１２との接続時に、オフセット電圧は、抵抗分割器の通常の値からのずれを補償するために調整され得る。
【００３６】
このようにいくつかの負荷デバイスによって要求される厳格な誤りマージンの制限を緩和するための方法及びデバイスが記載されている。
【００３７】
本願に記載されていることは、例えば維持電圧ＶＳとなり得る出力電圧Ｖの一つの調整である。同様にアドレス電圧ＶＡが調整され得る。
【００３８】
比較ユニットは好ましくは、乗算を含む計算及び命令を実行し得るマイクロプロセッサユニット（ＭＰＵ）の形態でもたらされる。第一、第二、及び第三のメモリは別個のメモリとなり得るか、又は一つのデバイスにおいて結合され得る。
【００３９】
本発明は、負荷が、上記式を適用することによってフィードバックなしで維持及びアドレッシング電圧をプリセットするために使用されるように二つの異なる制御電圧ＶＣＳ及びＶＣＡをもたらすシステム、すなわち固定値システムと共にもたらされる更なる随意のシステムとしてもたらされ得る。この場合、テレビジョンセット製造業者は、二つの異なるシステム、すなわちフィードバック又は非フィードバックシステムの間で選択し得ると共に自身に最適な方を選択する。
【００４０】
本発明はいくつかの利点を有している。第一の利点は、より少ない厳格な誤りマージンのためにより少ない給電がもたらされることにある。第二の利点は、より正確な出力電圧がもたらされることにある。これにより、製品の寿命の間にＰＤＰディスプレイに対して最適な画質が維持される。第三の利点は、ＰＤＰディスプレイを含むＴＶのようなデバイスが組み立てられる工場においてより少ない、又はより簡単な調整しか必要とされないということにある。
【００４１】
本発明はテレビジョンセット又はＰＤＰに限定されず、厳格な電圧又は電流伝達要求仕様を有する負荷がもたらされるいかなる環境においても適用され得ることは認識されるべきである。負荷要求仕様に依存して、出力電圧以外の他のパラメータ、例えば出力電流がフィードバックループを介して制御され得る。結局本発明は請求項によってのみ限定されるべきである。
【００４２】
本発明の保護範囲は上述の実施例に限定されるものではなく、当業者が特許請求の範囲からはずれることなく多くの他の実施例を設計することができることは注目されるべきである。請求項において、括弧の間に置かれる請求項の参照番号は、いずれも当該請求項の保護範囲を限定するものではない。単語“有する”は、請求項に記述される構成要素以外に構成要素又はステップの存在を排除するものではない。構成要素に先行する冠詞“a”又は“aｎ”は、複数の構成要素を排除するものではない。本発明は、いくつかの独特な構成要素を有するハードウエアによって、及び好適にプログラミングされたコンピュータによって実現可能である。いくつかの手段を列挙する装置の請求項において、いくつかのこれらの手段は、ハードウエアの一つ及び同じ構成要素によって具現化されることが可能である。ある手段が相互に異なる従属請求項において再び引用されるという事実は、これらの手段の組み合わせが有利に使われ得ないことを示すものではないということに過ぎない。
【図面の簡単な説明】
【００４３】
【図１】負荷デバイス及び給電デバイスを含む情報ディスプレイデバイスのブロック概略図を示している。
【図２】互いに接続される給電デバイス及び負荷デバイスの部分のブロック概略図を示している。
【図３】本発明による方法のフローチャートを示している。
【図４】本発明による給電デバイス及び負荷デバイスの可能な実現例の回路図を示している。
【図５】本発明による給電デバイス及び負荷デバイスの他の可能な実現例の回路図を示している。
【図６】本発明による給電デバイス及び負荷デバイスの他の可能な実現例の回路図を示している。
【図１】
2005513563.tif 000003
【図２】
2005513563.tif 000004
【図３】
2005513563.tif 000005
【図４】
2005513563.tif 000006
【図５】
2005513563.tif 000007
【図６】
2005513563.tif 000008
【国際調査報告】
2005513563.tif 000009
2005513563.tif 000010
2005513563.tif 000011
2005513563.tif 000012